(57)【要約】【課題】操作機構を含めて、真空遮断器を小形化する。【解決手段】コイル状の遮断ばね２４の中空部に真空バルブ１１を配設し、投入時に可動電極９と一体的に動作して遮断ばね２４を圧縮するばね圧縮部２５を設けるとともに、可動リード６にはロックピン２７を突出しかつ回動自在に設ける。投入時には、可動リード６の外周の螺旋溝６ａと係合するギヤ２９，３０の回転により可動リード６を駆動して固定電極８と可動電極９を接触させ、この投入状態でロックピン２７を投入フック２８と係合させて投入状態を維持する。遮断時には、ロックピン２７と投入フック２８との係合を外し、投入時に蓄勢された遮断ばね２４の放勢により可動電極９を固定電極８から開離する。【選択図】図１
2005228600.tif 000002
【特許請求の範囲】
【請求項１】
コイル状の遮断ばねと、真空容器内に固定リードと可動リードを介して固定電極と可動電極が対向配置されて構成され、遮断ばねの中空部に配設された真空バルブと、投入時に可動電極と一緒に動作し、遮断ばねを圧縮するばね圧縮部と、可動リードに設けられ、投入時にトリップロックの位置で投入フックと係合するとともに、遮断時に投入フックとの係合を解除されるロックピンと、投入時に可動リードと係合し、可動電極を駆動して固定電極に接触させるとともに、トリップロックの位置で可動リードとの係合を解除されるギヤ機構とを備えたことを特徴とする真空遮断器。
【発明の詳細な説明】
【技術分野】
【０００１】
この発明は、真空遮断器に関するものである。
【背景技術】
【０００２】
図4は真空バルブの縦断面図を示し、１は絶縁筒、２，３は絶縁筒１の両端に封着された固定側端板及び可動側端板であり、これらによって真空容器４が形成される。５，６は真空容器４の中心に対向して挿入された固定リード及び可動リードであり、固定リード5は固定側端板２に固定され、可動リード６は可動側端板３に真空を保持するためのベローズ７を介して軸方向移動自在に支持される。固定リード５及び可動リード６の内端にはそれぞれ固定電極８及び可動電極９が対向して取り付けられる。１０は真空容器４内で絶縁筒１に取り付けられた筒状の遮蔽シールドであり、遮蔽シールド１０は各電極８，９の周囲を取り囲み、遮断時に電極８，９間に発生する金属蒸気が絶縁筒１の内周に付着するのを防止する。
【０００３】
上記構成の真空バルブ１１においては、可動リード６を操作ロッドにより軸方向に移動させることにより各電極８，９間を接離し、通電、遮断を行う。
【０００４】
図5は特許文献１に示された電動ーばね操作方式（ＶＪ形）の真空遮断器の引き外し状態の概略図を示し、この状態の真空バルブ１１を投入するには、操作電動機の駆動によりカム軸１２を反時計方向に回転して投入ばねを引張蓄勢する。投入ばねの死点を越えると、投入ばねの放勢力によりカム軸１２は急激に反時計方向に回転し、投入カム１３及びローラ１４を介して回転自在な操作軸１６に取り付けられた操作ロッド１５を時計方向に回動する。従って、操作ロッド１５を介して真空バルブ１１の可動リード６が移動して真空バルブ１１が投入される。同時に、遮断ばねを蓄勢するとともに、操作軸１６に一端が取り付けられた遮断レバー１７のローラ１８がトリップフック１９と係合し、投入状態を維持する。
【０００５】
次に、真空バルブ１１を遮断するには、遮断用電磁石を励磁して、トリップフック１９とローラ１８との係合を外し、操作軸１６を遮断ばねの放勢力により急激に反時計方向に回転し、操作ロッド１５及び可動リード６を介して可動電極９を移動して真空バルブ１１を遮断する。
【０００６】
図6は特許文献２に示された電磁操作方式（ＶＥ形）の真空遮断器の引き外し状態の概略図を示し、投入時には、投入電磁石２０を励磁し、可動鉄心２０ａを突出させてリンク機構２１の接続部２１ａを押圧し、トリップフック２３との係合部２１ｂを支点としてリンク機構２１を伸長させ、リンク機構２１と連結部２２により一端が回動自在に連結された操作ロッド１５を操作軸１６を中心として反時計方向に回動させ、可動電極９を固定電極８に当接させ、真空バルブ１１を投入させる。又、遮断時には引き外し電磁石の励磁によりトリップフック２３を回動させ、係合部２１ｂとの係合を外し、投入時に蓄勢された遮断ばねにより操作ロッド１５を時計方向に回動させ、可動リード６を介して可動電極９を移動させ、真空バルブ１１を遮断する。
【特許文献１】特開平６−３４９３８３号公報
【特許文献２】特開平８−２８７７９０号公報
【発明の開示】
【発明が解決しようとする課題】
【０００７】
上記した従来の真空遮断器においては、真空バルブ１１の性能（アークを遮断するための引き外し速度や極間距離）を維持するために、図５、図６に示したような操作方式とせざるを得ず、操作ロッド１５及び操作軸１６を必要とし、真空遮断器全体の縮小化は望めなかった。
【０００８】
この発明は上記のような課題を解決するために成されたものであり、操作機構を含めて全体的に小形化した真空遮断器を得ることを目的とする。
【課題を解決するための手段】
【０００９】
この発明に係る真空遮断器は、コイル状の遮断ばねと、真空容器内に固定リードと可動リードを介して固定電極と可動電極が対向配置されて構成され、遮断ばねの中空部に配設された真空バルブと、投入時に可動電極と一緒に動作し、遮断ばねを圧縮するばね圧縮部と、可動リードに設けられ、投入時にトリップロックの位置で投入フックと係合するとともに、遮断時に投入フックとの係合を解除されるロックピンと、投入時に可動リードと係合し、可動電極を駆動して固定電極に接触させるとともに、トリップロックの位置で可動リードとの係合を解除されるギヤ機構とを備えたものである。
【発明の効果】
【００１０】
以上のようにこの発明によれば、コイル状の遮断ばねの中空部に真空バルブを配設したので、操作機構と真空バルブとが一体化され、操作機構を含めた真空遮断器全体が小形化される。又、操作ロッドや操作軸が不要となり、部品点数が削減されて、製作時のＣＯ２の排出量も削減される。
【発明を実施するための最良の形態】
【００１１】
以下、この発明を実施するための最良の形態を図面とともに説明する。図１（ａ），（ｂ）はこの発明の実施最良形態による真空バルブの遮断時の斜視図及び真空遮断器の遮断時の要部斜視図であり、真空バルブ１１は真空容器４内に固定リード５及び可動リード６を介して固定電極８と可動電極９とが対向配置されている。２４はコイル状の遮断ばねであり、真空バルブ１１は遮断ばね２４の中空部に配設されている。２５は可動リード６と一体的に設けられたばね圧縮部であり、投入時に遮断ばね２４の一端を押圧して遮断ばね２４を圧縮する。遮断ばね２４の他端はばね支持部２６により固定支持されている。真空バルブ１１も図示しない支持機構により固定支持されている。
【００１２】
図２は実施最良形態による真空遮断器の投入時の要部斜視図を示し、図３は真空遮断器の投入機構の斜視図を示し、可動リード６の表面には螺旋状の溝６ａが形成されている。２７は可動リード６から突出し、かつ回動可能に設けられたロックピンであり、ロックピン２７は投入時にトリップロックの位置で投入フック２８と係合し、遮断時には遮断用電磁石等により回動されて投入フック２８との係合を外される。２９，３０はギヤ機構を構成する一対のギヤであり、各ギヤ２９，３０は投入時に可動リード６の螺旋溝６ａと係合し、可動電極９を駆動して固定電極８と接触させるとともに、トリップロックの位置で可動リード６との係合を解除される。
【００１３】
次に、上記構成の真空遮断器の動作を説明する。まず、投入時にはギヤ２９，３０を可動リード６の螺旋溝６ａに係合させ、ギヤ２９，３０を回転させると、可動リード６は回転しながら上昇し、この際ばね圧縮部２５が遮断ばね２４を押圧して圧縮する。可動リード６の上昇により可動電極９が固定電極８に接触して投入状態となり、トリップロックの位置になると、ロックピン２７が投入フック２８と係合して投入状態を維持し、ギヤ２９，３０は可動リード６との係合を外れる。遮断ばね２４はばね圧縮部２５により押圧され、圧縮されて蓄勢される。
【００１４】
次に、遮断時には、遮断電磁石等によりロックピン２７が押圧されて回動し、投入フック２８との係合が外れる。これにより、蓄勢されている遮断ばね２４が放勢し、可動電極９が固定電極８から離れて遮断状態となる。
【００１５】
上記した実施最良形態においては、コイル状の遮断ばね２４の中空部に真空バルブ１１を配設したので、真空バルブ１１と操作機構とが一体化され、操作機構を含めた真空遮断器全体が小形化される。又、従来の操作ロッドや操作軸が不要となり、部品点数が削減されて製作時のＣＯ２の排出量も削減される。
【図面の簡単な説明】
【００１６】
【図１】この発明の実施最良形態による真空バルブの遮断時の斜視図及び真空遮断器の遮断時の要部斜視図である。
【図２】実施最良形態による真空遮断器の投入時の要部斜視図である。
【図３】実施最良形態による真空遮断器の投入機構の斜視図である。
【図４】従来の真空バルブの縦断面図である。
【図５】特許文献１に示された電動ーばね操作方式の真空遮断器の引き外し状態の概略図である。
【図６】特許文献２に示された電磁操作方式の真空遮断器の引き外し状態の概略図である。
【符号の説明】
【００１７】
４…真空容器
５…固定リード
６…可動リード
６ａ…螺旋溝
８…固定電極
９…可動電極
１１…真空バルブ
２４…遮断ばね
２５…ばね圧縮部
２６…ばね支持部
２７…ロックピン
２８…投入フック
２９，３０…ギヤ
【図１】
2005228600.tif 000003
【図２】
2005228600.tif 000004
【図３】
2005228600.tif 000005
【図４】
2005228600.tif 000006
【図５】
2005228600.tif 000007
【図６】
2005228600.tif 000008